(57)【要約】【課題】マストのせり上げに当たり、せり上げワイヤの滑車取り付け位置と斜支線の掛け止め位置を個別に変更する手間のかからないデリック装置を提供する。【解決手段】デリック装置１は、マスト３の下端部を交差するように掛けられた２条のせり上げワイヤ６ａ，６ｂにより、４本の斜支線の役割を兼ねさせる。２条のせり上げワイヤ６ａ，６ｂに交互にマスト３の荷重を支持させ、交互に上方のせり上げ用滑車１１ａ，１１ｂへせり上げ上げワイヤ６ａ，６ｂを掛け替えてマスト３をせり上げる。せり上げた位置で２条のせり上げワイヤ６ａ，６ｂをそれぞれ鉄塔へ引き止め、マスト下端部を斜支線に代えて四方斜め上方へ支持する。【選択図】図２
2020158301.tif 000002
【特許請求の範囲】
【請求項１】
第１ないし第４の４つの鉄塔主柱材を有する組立又は解体途上の鉄塔の中心部に直立支持されるトラス柱状のマストと、当該マストの上部に起伏自在に支持されるブームとを具備するデリック本体と、
前記マストをその下端部において前記鉄塔主柱材に支持する水平支線及び斜支線と、
前記マストの中間部を相対昇降自在に包囲する複数のマストガイドと、
前記マストガイドを前記鉄塔主柱材に支持する水平支線と、
一端側が地上のウィンチに巻かれ、中間部がいずれか一の前記鉄塔主柱材上部のせり上げ用滑車と前記マスト下端部のマスト滑車を経由して他端側がいずれか他の前記鉄塔主柱材上部に係止されるせり上げワイヤとを具備し、
前記せり上げワイヤの巻き上げ巻き戻しにより前記マストの支持位置を上下に移動させることが可能に構成されるデリック装置において、
前記せり上げワイヤは、第１及び第２の２条のせり上げワイヤを含み、
前記せり上げ用滑車は、前記第１の鉄塔主柱材の上部に係止される第１のせり上げ用滑車と、前記第１の鉄塔主柱材に隣接する前記第２の鉄塔主柱材の上部に係止される第２のせり上げ用滑車の少なくとも２つのせり上げ用滑車を含み、
前記マスト滑車は、前記マスト下端部の四隅に配置される第１ないし第４の４つのせり上げ用滑車を含み、
前記第１のせり上げワイヤは、前記地上のウィンチから前記第１のせり上げ用滑車、前記第１のマスト滑車、当該第１のマスト滑車の対角上の前記第２のマスト滑車を介して前記第１の鉄塔主柱材の対角上の前記第３の鉄塔主柱材に係止され、
前記第２のせり上げワイヤは、前記地上のウィンチから前記第２のせり上げ用滑車、前記第２のマスト滑車、当該第２のマスト滑車の対角上の前記第４のマスト滑車を介して前記第２の鉄塔主柱材の対角上の前記第４の鉄塔主柱材に係止され、
前記第１及び第２のせり上げワイヤが、前記マストの下端部を前記鉄塔主柱材に支持する前記斜支線を兼ねることを特徴とする鉄塔の組立、解体工事用デリック装置。
【請求項２】
組立途上の前記鉄塔に対して所要の高さ位置において前記マストを支持するように前記第１及び第２のせり上げワイヤをそれぞれ前記第１，第２の鉄塔主柱材に係止する第１の工程と、
前記第１の工程の後、前記第１のせり上げワイヤの前記鉄塔主柱材に対する係止を解いて弛緩させ、前記第２のせり上げワイヤのみで前記マストの荷重を支持した状態で、前記第１のせり上げワイヤが掛けられた前記第１のせり上げ用滑車の係止位置を前記第１の鉄塔主柱材の上部に移す第２の工程と、
前記第２の工程の後、前記第１のせり上げワイヤを前記ウィンチで巻き上げて、当該第１のせり上げワイヤで前記マストの荷重を支持するように当該第１のせり上げワイヤを前記第１の鉄塔主柱材に係止する第３の工程と、
前記第３の工程の後、前記第２のせり上げワイヤの前記鉄塔主柱材に対する係止を解いて弛緩させ、前記第２のせり上げ用滑車の係止位置を前記第２の鉄塔主柱材の上部に移す第４の工程と、
前記第４の工程の後、前記第２のせり上げワイヤを前記ウィンチで巻き上げて、前記第１のせり上げワイヤと協働して前記マストの荷重を支持するように前記第２のせり上げワイヤを前記第２の鉄塔主柱材に係止する第５の工程とを含むことを特徴とする請求項１に記載のデリック装置のせり上げ方法。
【発明の詳細な説明】
【技術分野】
【０００１】
本発明は、鉄塔の組立、解体工事において、資材を吊り上げ、吊り降ろすために、組立、解体途上の鉄塔の中心部に設置されるデリックに関する。
【背景技術】
【０００２】
鉄塔の組立、解体の工事に用いられるデリックとして、例えば特許文献１に開示されたものがある。このデリックは、組立又は解体途上の鉄塔の中心部において４つの鉄塔主柱材に支持されるマストと、マストの上端部に設けられるブームとを具備する。マストは、下端において台座を介して水平支線と斜支線で鉄塔主柱材に支持され、また中間部でマストを包囲する複数のマストガイドを介して水平支線で鉄塔主柱材に直立するように支持される。台座の滑車と鉄塔主柱材の上部の滑車にかけ回されたせり上げワイヤを地上のウィンチで巻き上げ巻き戻しすることによって、鉄塔に対するマストの支持位置を上下に移動することができる。マストは台座上に軸周り回転自在に支持され、モータで回転駆動される。マストガイドは、相対回転自在の内外二重の環状部材で構成され、外側環状部材が水平支線によって鉄塔の主柱材に支持される。内側環状部材は、マストの四本の主柱材を上下方向に転動自在に受ける４つの昇降ローラを具備し、マストと共に水平回転自在である。
デリックを鉄塔主柱材の内側へ設置する際には、マストの下端の台座を水平支線と斜支線で鉄塔主柱材に固定すると共に、マストを包囲するマストガイドを水平支線で鉄塔主柱材に固定する。この状態で、デリックを動作させて鉄塔の組み上げ、解体作業を行う。
鉄塔の組立作業の進行にしたがって、マストをせり上げる。この際には、斜支線を鉄塔主柱材から外して、その鉄塔主柱材への支持位置をマストの高さ位置に適合するように上方へ移動させる。斜支線でマストを支持した後、せり上げワイヤを掛ける鉄塔主柱材上の滑車の位置も上方へ移動させる。
【先行技術文献】
【特許文献】
【０００３】
【特許文献１】特開２０１７−１１９５７１号公報
【発明の概要】
【発明が解決しようとする課題】
【０００４】
上記従来のデリックを用いた鉄塔の組立又は解体作業時には、高所において作業者が鉄塔とマストガイドとの間を頻繁に行き来する危険を伴う難作業がある。また、鉄塔主柱材に対するせり上げワイヤの滑車取り付け位置と斜支線の掛け止め位置を個別に頻繁に変更する手間のかかる作業を要する。
したがって、本発明は、鉄塔の組立作業時に、作業者が鉄塔とマストガイドとの間を頻繁に行き来する必要がなく、また鉄塔主柱材に対するせり上げワイヤの滑車取り付け位置と斜支線の掛け止め位置を個別に変更する手間のかからないデリック装置と、これを用いたデリック装置のせり上げ方法を提供することを目的としている。
【課題を解決するための手段】
【０００５】
以下、添付図面の符号を参照して説明するが、本発明はこれに限定されるものではない。
上記課題を解決するための、本発明のデリック装置１は、第１ないし第４の４つの鉄塔主柱材Ｐを有する組立又は解体途上の鉄塔Ｔの中心部に直立支持されるトラス柱状のマスト３と、当該マスト３の上部に起伏自在に支持されるブーム４とを具備するデリック本体２と、マスト３をその下端部において鉄塔主柱材Ｐに支持する水平支線５及び斜支線６と、マスト３の中間部を相対昇降自在に包囲する複数のマストガイド７と、マストガイド７を鉄塔主柱材Ｐに支持する水平支線９と、一端側が地上のウィンチＷに巻かれ、中間部がいずれか一の鉄塔主柱材Ｐの上部のせり上げ用滑車１１とマスト下端部のマスト滑車１３を経由して他端側がいずれか他の前記鉄塔主柱材Ｐの上部に係止されるせり上げワイヤ６とを具備し、せり上げワイヤ６の巻き上げ巻き戻しによりマスト３の支持位置を上下に移動させることが可能に構成されるデリック装置であって、せり上げワイヤ６は、第１及び第２の２条のせり上げワイヤ６ａ，６ｂを含み、せり上げ用滑車１１は、第１の鉄塔主柱材Ｐ１の上部に係止される第１のせり上げ用滑車１１ａと、第１の鉄塔主柱材Ｐ１に隣接する第２の鉄塔主柱材Ｐ２の上部に係止される第２のせり上げ用滑車１１ｂの少なくとも２つのせり上げ用滑車１１を含み、マスト滑車１３は、マスト下端部の四隅に配置される第１ないし第４の４つのマスト用滑車１３ａ〜１３ｄを含み、第１のせり上げワイヤ６ａは、地上のウィンチＷから第１のせり上げ用滑車１１ａ、第１のマスト滑車１３ａ、当該第１のマスト滑車１３ａの対角上の第２のマスト滑車１３ｃを介して第１の鉄塔主柱材Ｐ１の対角上の第３の鉄塔主柱材Ｐ３に係止され、第２のせり上げワイヤ６ｂは、地上のウィンチＷから第２のせり上げ用滑車１１ｂ、第３のマスト滑車１３ｂ、当該第３のマスト滑車１３ｂの対角上の第４のマスト滑車１３ｄを介して第２の鉄塔主柱材Ｐ２の対角上の第４の鉄塔主柱材Ｐ４に係止され、第１及び第２のせり上げワイヤ６ａ，６ｂが、マスト３の下端部を鉄塔主柱材Ｐに支持する４本の斜支線を兼ねるように構成される。
上記課題を解決するための、本発明のデリック装置１のせり上げ方法は、組立途上の鉄塔Ｔに対して所要の高さ位置においてマスト３を支持するように第１及び第２のせり上げワイヤ６ａ，６ｂをそれぞれ第１，第２の鉄塔主柱材Ｐ１，Ｐ２に係止する第１の工程と、第１の工程の後、第１のせり上げワイヤ６ａの鉄塔主柱材Ｐ１に対する係止を解いて弛緩させ、第２のせり上げワイヤ６ｂのみでマスト３の荷重を支持した状態で、第１のせり上げワイヤ６ａが掛けられた第１のせり上げ用滑車１１ａの係止位置を第１の鉄塔主柱材Ｐ１の上部に移す第２の工程と、その後、第１のせり上げワイヤ６ａをウィンチＷで巻き上げて、当該第１のせり上げワイヤ６ａでマスト３の荷重を支持するように当該第１のせり上げワイヤ６ａを第１の鉄塔主柱材Ｐ１に係止する第３の工程と、その後、第２のせり上げワイヤの鉄塔主柱材に対する係止を解いて弛緩させ、第２のせり上げ用滑車の係止位置を第２の鉄塔主柱材の上部に移す第４の工程と、その後、第２のせり上げワイヤ６ｂをウィンチＷで巻き上げて、第１のせり上げワイヤ６ａと協働してマスト３の荷重を支持するように第２のせり上げワイヤ６ｂを第２の鉄塔主柱材Ｐ２に係止する第５の工程とを含む。
【発明の効果】
【０００６】
本発明のデリック装置１は、マスト３の下端部を交差するように掛けられた２条のせり上げワイヤ６ａ，６ｂにより、４本の斜支線の役割を兼ねさせ、マスト３のせり上げに伴う斜支線及びせり上げ用滑車の掛け替えと、マスト３のせり上げ操作にかかる手間を削減することができる。
本発明のデリック装置１のせり上げ方法は、２条のせり上げワイヤ６ａ，６ｂに交互にマスト３の荷重を支持させて、交互に上方のせり上げ用滑車１１ａ，１１ｂへせり上げワイヤ６ａ，６ｂを掛け替えることによりマスト３をせり上げることができると共に、せり上げた位置で２条のせり上げワイヤ６ａ，６ｂをそれぞれ鉄塔へ引き止めマスト下端部を斜支線に代えて四方斜め上方へ支持することができる。
【図面の簡単な説明】
【０００７】
【図１】本発明に係るデリック装置の概略的説明図である。
【図２】図１のデリック装置の一部の概略的説明図である。
【図３】図１のデリック装置におけるデリック本体の正面図である。
【図４】図３のデリック本体のマストとブームとの関係を示す概略的平面図である。
【図５】図１のデリック装置におけるマスト下端部の正面図である。
【図６】図１のデリック装置におけるマスト下端部の平面図である。
【図７】図１のデリック装置におけるマストガイド装置の平面図である。
【図８】図７のマストガイド装置の一部の正面図である。
【図９】図７のマストガイド装置の一部の断面図である。
【図１０】デリック装置を用いた鉄塔組み立て工事の工程を示す説明図である。
【図１１】デリック装置を用いた鉄塔組み立て工事の工程を示す説明図である。
【図１２】デリック装置を用いた鉄塔組み立て工事の工程を示す説明図である。
【図１３】デリック装置を用いた鉄塔組み立て工事の工程を示す説明図である。
【図１４】デリック装置を用いた鉄塔組み立て工事の工程を示す説明図である。
【図１５】デリック装置を用いた鉄塔組み立て工事の工程を示す説明図である。
【図１６】デリック装置を用いた鉄塔組み立て工事の工程を示す説明図である。
【図１７】デリック装置を用いた鉄塔組み立て工事の工程を示す説明図である。
【図１８】本発明の他の実施形態に係るデリック装置の概略的説明図である。
【発明を実施するための形態】
【０００８】
図面を参照して本発明の実施の形態を説明する。
図１，２において、デリック装置１は、トラス柱状のマスト３と、当該マスト３の上部に起伏自在に支持されるブーム４とからなるデリック本体２を具備する。
【０００９】
マスト３は、組立又は解体途上の鉄塔Ｔの中心部に垂直に支持される。鉄塔Ｔは、第１ないし第４の４つの鉄塔主柱材Ｐ（Ｐ１，Ｐ２，Ｐ３，Ｐ４）（図２）を有し、第１節Ｓ１と第２節Ｓ２が既に組み立てられており、第３節Ｓ３がデリック装置１を使用してこれから組み立てられる。
【００１０】
図３によく示すように、マスト３は、トラス柱で構成され、４つのマスト主柱材３ａ，３ｂ，３ｃ，３ｄを具備し、上部において旋回台座１８を介してブーム４の基端を起伏自在に支持する。
【００１１】
図１，２において、マスト３は、その下端部において水平支線５及び斜支線６により鉄塔主柱材Ｐに支持され、また中間部において、上部マストガイド装置７と下部マストガイド装置８を介して水平支線９，１０により鉄塔主柱材Ｐに支持される。マストガイド装置７，８は、マスト３を相対昇降自在に包囲する。
【００１２】
マスト３の旋回台座１８より上部は、図４に示すように、平面視コ字状に側方へ開放しており、この開放空間Ｓ内へ起立状態のブーム４が納まり、マスト３の横断面積が全長にわたって統一される。したがって、ブーム４を起立させた状態で、マスト３はその全長にわたってマストガイド装置７，８を支障なく通過できる。
【００１３】
デリック装置１を用いて作業を行うときには、上部マストガイド装置７が組立済みの鉄塔主柱材Ｐの上端部（図１において第２節の上端部）に支持され、マスト３の下端部は水平支線５と斜支線６で鉄塔主柱材Ｐに支持される。マスト３の上部は、上部マストガイド装置７から上方へ安全上規制された所定距離以内の高さ延出する配置がとられる。
【００１４】
斜支線６は、マスト３のせり上げワイヤ６ａ，６ｂを兼ねる２条のワイヤロープからなる。せり上げワイヤ６ａ，６ｂは、一端側が地上のウィンチＷに巻かれ、中間部が鉄塔主柱材Ｐの上部のせり上げ用滑車１１に掛けられ、他端側が実質的にマスト３の下端部に係止される。せり上げワイヤ６ａ，６ｂの巻き上げ巻き戻しにより鉄塔Ｔに対するマスト３の支持位置を上下に移動することができる。
【００１５】
図５，６に示すように、マスト３の下端部には台座１２が設けられる。台座１２上には、四隅にマスト滑車１３（１３ａ，１３ｂ，１３ｃ，１３ｄ）と、水平支線５を係止する引き手１９が設けられる。マスト滑車１３には、せり上げワイヤ６ａ，６ｂが掛けられる。
【００１６】
図２において、せり上げワイヤ６ａは、ウィンチＷから、第１の鉄塔主柱材Ｐ１上のせり上げ用滑車１１ａ、マスト滑車１３ａ，１３ｃを介して鉄塔主柱材Ｐ３に係止される。せり上げワイヤ６ｂは、ウィンチＷから、第２の鉄塔主柱材Ｐ２上のせり上げ用滑車１１ｂ、マスト滑車１３ｂ，１３ｄを介して鉄塔主柱材Ｐ４に係止される。ウィンチＷの負荷を軽減するために、図１に示すように鉄塔主柱材Ｐ３，Ｐ４上にもせり上げ用滑車１１ｃ，１１ｄを設け、それぞれせり上げワイヤ６ａ，６ｂを掛けて折り返し、マスト滑車１３を介してせり上げ用滑車１１ａ，１１ｂの係止位置付近に係止するローピングを採用することもできる。要するに、２条のせり上げワイヤ６ａ、６ｂを鉄塔上部の滑車１１からマスト滑車１３ａ〜１３ｄを介してマスト３の下端部をクロスするように通し鉄塔上部に係止することにより、いずれかのせり上げワイヤ６ａ、６ｂによりマスト３をせり上げることができるように構成される。
【００１７】
マストガイド装置７，８は、マスト３の中間部を相対昇降自在に包囲し、水平支線９，１０により鉄塔主柱材Ｐに支持され、それにより、マスト３を鉄塔Ｔに対して垂直に、相対昇降自在に保持する。
【００１８】
マストガイド装置７，８は、同一構造で、図７，８，９に示すように、マスト３を相対昇降自在に包囲する環状フレーム１４と、当該環状フレーム１４上に設けられるガイドローラ１５及びストッパ１６を具備する。
【００１９】
ガイドローラ１５は、マスト３を構成する四方のマスト主柱材３ａ，３ｂ，３ｃ，３ｄの外側を上下方向に転動するように環状フレーム１４の内側に突出して４つ設けられる。
【００２０】
図９によく示すように、ストッパ１６は、環状フレーム１４の内側へ突出してマスト主柱材３ａ，３ｂ，３ｃ，３ｄの外側に当接する拘束位置と、それらから離れる解放位置との間を移動自在に環状フレーム１４に組み込まれ、内装ばね１７により、拘束位置に付勢される。ストッパ１６は、拘束位置においてマストガイド装置７，８をマスト３に固定し、解放位置においてマストガイド装置７，８を解放し、それにより、マストガイド装置７，８のマスト３に対する相対上下動を許容する。ストッパ１６は、外側に水平支線９，１０の一端を係止する引き手１６ａを具備する。
【００２１】
水平支線９，１０は、一端側がストッパ１６に接続され、他端側が鉄塔主柱材Ｐに係止される。水平支線９，１０が、所定の張力を持って緊線されとき、ばね１７の付勢力に抗してストッパ１６を解放位置に配置するように設けられる。
【００２２】
図１０ないし図１７について、デリック装置１を鉄塔Ｔ上で所定高さにせり上げる工程を説明する。
【００２３】
図１０において、デリック装置１は、第２節Ｓ２まで組み立てられた鉄塔Ｔ上に設置され、仮想線で示す第３節の組み立て工事に使用されている。マスト３は、下端部において、水平支線５で鉄塔Ｔの第１節Ｓ１の上端部に支持されると共に、斜支線としての２条のせり上げワイヤ６で第２節Ｓ２の上端部に支持され、さらに中間部において上部マストガイド装置７を介して、第２節Ｓ２の上端部に水平支線９で支持される。
【００２４】
図１１において、鉄塔Ｔの第３節の組み立てが完了して、デリック装置１をせり上げる準備のために、第１のせり上げワイヤ６ａの鉄塔Ｔへの係止を解いて、第２のせり上げワイヤ６ｂのみでデリック装置１の荷重を支持する。
【００２５】
次いで、図１２において、第２のせり上げワイヤ６ｂでデリック装置１の荷重を支持した状態で、せり上げ用滑車１１ａ，１１ｃを鉄塔Ｔの第３節Ｓ３の上端部へ係止すると共に、せり上げワイヤ６ａをこれらの滑車１１ａ，１１ｂに掛け回し、端部を第３節Ｓ３の上端部に係止することにより、今度は第１のせり上げワイヤ６ａでデリック装置１の荷重を支持する。
【００２６】
次いで、図１３において、第１のせり上げワイヤ６ａのみでデリック装置１の荷重を支持した状態で、せり上げ用滑車１１ｂ，１１ｄを鉄塔Ｔの第３節Ｓ３の上端部へ係止すると共に、せり上げワイヤ６ｂをこれらの滑車１１ｂ，１１ｄに掛け回し、端部を第３節Ｓ３の上端部に係止する。また、下部マストガイド装置８の水平支線１０を緊線して、それのストッパ１６をマスト３から外す。
【００２７】
次いで、図１４において、水平支線５及びせり上げワイヤ６ａ，６ｂの係止を解いて、ウィンチＷを巻き戻し、デリック装置１を第３節の高さ相当距離せり下げた後、下部マストガイド装置８の水平支線１０の係止を解いて弛緩させる（図１５）ことにより、ストッパ１６をマスト３に圧接させ、下部マストガイド装置８をマスト３に固定した状態で、図１５に示す位置までマスト３をせり上げる。下部マストガイド装置８は、マスト３と共にせり上がる。
【００２８】
次いで、図１６において、下部マストガイド装置８の水平支線１０を緊線して鉄塔Ｔに係止する一方、上部マストガイド装置７の水平支線９の係止を解いて弛緩させることにより、上部マストガイド装置７をマスト３に固定した状態で、図１７に示す位置までマスト３をせり上げる。上部マストガイド装置７は、マスト３と共にせり上がり、上部マストガイド装置７及び下部マストガイド装置８の両者が適正な上方位置に配置されるので、それらの水平支線９，１０及びマスト下端部の水平支線５を所要の高さ位置で鉄塔Ｔに緊線して支持すると共に、せり上げワイヤ６ａ，６ｂを鉄塔Ｔに係止して、第４節の組立を行う。
【００２９】
マスト３のせり上げに応じてマストガイド装置７，８をせり上げる作業は、鉄塔Ｔ側において水平支線９，１０を操作することで行うことができるから、作業者が鉄塔Ｔ側からマスト３側へ移動して作業する必要がない。
【００３０】
斜支線とせり上げワイヤ６とを兼ねさせ、かつせり上げワイヤ６を２条とすることで、これを交互に１条ずつ用いてデリック本体２の荷重を支持した状態で。他方のせり上げワイヤ６の支持位置を上方へ移動することができる。
【００３１】
図１８に示す本発明の他の実施形態においては、上部マストガイド装置７、下部マストガイド装置８が、それぞれ上下２台を一組として設けられる。これにより、マスト３の垂直精度を高め、マストの安定したせり上げ・せり下げを実施できる。
【符号の説明】
【００３２】
１      デリック装置
２      デリック本体
３      マスト
３ａ〜３ｄ  マスト主柱材
４      ブーム
５      水平支線
６（６ａ，６ｂ）斜支線兼用せり上げワイヤ
７      上部マストガイド装置
８      下部マストガイド装置
９      水平支線
１０    水平支線
１１    せり上げ用滑車
１２    台座
１３    マスト滑車
１４    環状フレーム
１５    ガイドローラ
１６    ストッパ
１６ａ  引き手
１７    ばね
１８    旋回台座
１９    引き手
Ｐ      鉄塔主柱材
Ｔ      鉄塔
Ｓ１    鉄塔の第１節
Ｓ２    鉄塔の第２節
Ｓ３    鉄塔の第３節
【図１】
2020158301.tif 000003
【図２】
2020158301.tif 000004
【図３】
2020158301.tif 000005
【図４】
2020158301.tif 000006
【図５】
2020158301.tif 000007
【図６】
2020158301.tif 000008
【図７】
2020158301.tif 000009
【図８】
2020158301.tif 000010
【図９】
2020158301.tif 000011
【図１０】
2020158301.tif 000012
【図１１】
2020158301.tif 000013
【図１２】
2020158301.tif 000014
【図１３】
2020158301.tif 000015
【図１４】
2020158301.tif 000016
【図１５】
2020158301.tif 000017
【図１６】
2020158301.tif 000018
【図１７】
2020158301.tif 000019
【図１８】
2020158301.tif 000020